(57)【要約】【課題】持ち運びやすいアロマディフューザーを提供する。【解決手段】筐体と、前記筐体を持ち運ぶ際にユーザーの手を挿入可能な貫通孔と、前記貫通孔の左右に設けられ、香料成分が収容された複数の香料容器を収容する収容部と、前記貫通孔の上方に設けられ、前記香料成分を前記筐体の外部に放出させる揮散機構と、前記貫通孔の下方に設けられ、前記揮散機構の動作を制御する制御部と、前記貫通孔の下方に設けられ、前記制御部に電源を供給する内蔵電池とを備えることを特徴とする。【選択図】図１
2020137843.tif 000002
【特許請求の範囲】
【請求項１】
筐体と、
前記筐体を持ち運ぶ際にユーザーの手を挿入可能な貫通孔と、
前記貫通孔の左右に設けられ、香料成分が収容された複数の香料容器を収容する収容部と、
前記貫通孔の上方に設けられ、前記香料成分を前記筐体の外部に放出させる揮散機構と、
前記貫通孔の下方に設けられ、前記揮散機構の動作を制御する制御部と、
前記貫通孔の下方に設けられ、前記制御部に電力を供給する内蔵電池と
を備えることを特徴とするアロマディフューザー。
【請求項２】
前記制御部が搭載された制御基板から前記揮散機構へ接続される接続ケーブルは、前記筐体の内部における前記香料容器の周囲の空間を引き回されたことを特徴とする請求項１に記載のアロマディフューザー。
【請求項３】
前記揮散機構が接続され前記香料容器の開口と外気とを連通する吹出経路と、前記揮散機構とが、前記筐体における左右方向および前後方向の中心に対し、点対称に配置されたことを特徴とする請求項１または２に記載のアロマディフューザー。
【発明の詳細な説明】
【技術分野】
【０００１】
本発明は、香料成分を空間に揮散させるアロマディフューザーに関する。
【背景技術】
【０００２】
近年では、補完代替療法としてのアロマテラピーの活用が注目されている。その中においては、オイルの組み合わせと噴霧時間を指定することにより、アロマオイルによるリラックス効果などを効率的に得る事が出来る。アロマディフューザーが使用される環境は、リビング、寝室、書斎など様々であり、持ち運びできる事が求められている。
【先行技術文献】
【特許文献】
【０００３】
【特許文献１】特表２０１７−５０２７９３号公報
【発明の概要】
【発明が解決しようとする課題】
【０００４】
従来のアロマディフューザーは、ACアダプターが接続されているため使用環境が制限され、インテリアの一部として扱われることも多く、持ち運びを考慮したデザインになっていないことが多かった。そのため持ち運びにくく、落下させる可能性があり、例えば内蔵電池が搭載されたアロマディフューザーを持ち運んで落下させた場合、発煙発火に繋がる恐れがある。持ち運んだ後に本体を載置する際、製品姿勢が安定せずに転倒する恐れもある。
【課題を解決するための手段】
【０００５】
上記を鑑み、本発明にかかるアロマディフューザーは、
筐体と、
前記筐体を持ち運ぶ際にユーザーの手を挿入可能な貫通孔と、
前記貫通孔の左右に設けられ、香料成分が収容された複数の香料容器を収容する収容部と、
前記貫通孔の上方に設けられ、前記香料成分を前記筐体の外部に放出させる揮散機構と、
前記貫通孔の下方に設けられ、前記揮散機構の動作を制御する制御部と、
前記貫通孔の下方に設けられ、前記制御部に電力を供給する内蔵電池と
を備えることを特徴とする。
【発明の効果】
【０００６】
本発明によれば、必要な部品の収納性を向上しつつ、本体の可搬性を向上することができる。また、持ち運んだ後に本体を載置する際に、製品姿勢を安定化することができる。
【図面の簡単な説明】
【０００７】
【図１】本発明の一実施形態に係るアロマディフューザーの外観斜視図。
【図２】本発明の一実施形態に係るアロマディフューザーの上面図及び断面図。
【図３】本発明の一実施形態に係るアロマディフューザーの芳香動作を説明する概念図。
【図４】本発明の一実施形態に係るアロマディフューザーの他の斜視図。
【図５】本発明の一実施形態に係るアロマディフューザーの他の上面図。
【図６】本発明の一実施形態に係るアロマディフューザーの正面図及び断面図。
【図７】本発明の一実施形態に係るアロマディフューザーのブロック図。
【発明を実施するための形態】
【０００８】
以下、本発明の一実施形態に係るアロマディフューザーについて図面を用いて具体的に説明する。
【０００９】
図１は、本発明のアロマディフューザー１の斜視図である。筐体１０の上部には、回転軸１５を中心に開閉する事が出来るトップカバー１１が設けられている。トップカバー１１には香料成分を空間に放出するための吹出口１２が設けられており、吹出口１２は、第１吹出口１２ａと第２吹出口１２ｂとが筐体１０の中央を貫通した空間である貫通孔１００を挟んで左右に設けられている。尚、以下の説明においては第１吹出口１２ａと第２吹出口１２ｂとをまとめて吹出口１２と呼ぶことがある。
【００１０】
ユーザーは貫通した空間に手を入れて筐体１０を持ち上げることが出来る。製品を落下させることなく片手で安定して持ち運ぶことが可能になり、適所に配置してアロマ効果を効率的に得ることが出来る。なお、貫通した空間は、図１においては、長方形型であるが、正方形や多角形、円形など、様々な形状にしても良い。
【００１１】
筐体１０の貫通した空間と接する側には導光部材１９が設けられている。ユーザーは導光部材１９の発光パターンから製品の動作情報を知ることが出来る。本実施形態においては、貫通した空間を形成する貫通孔１００の全周に導光部材１９を設けており、ユーザーは、どの方向からでも貫通孔１００の内部を視認することができるため、貫通孔１００の内部を照らすことで、筐体１０をどの高さに設置した場合であってもユーザーからの視認性を向上することができる。
【００１２】
図２は本発明のアロマディフューザー１の内部構造を示した断面図である。図２（ａ）に示す上面図におけるＡ−Ａ断面を図２（ｂ）の断面図に示している。第１吹出口１２ａと連通する第１ボトル２０ａを収容する収容部がその下部に設けられており、同様に第２吹出口１２ｂと連通する第２ボトル２０ｂを収容する収容部がその下部に設けられている。第１ボトル２０ａから第１吹出口１２ａまでの吹出経路を含めた構造と第２ボトル２０ｂから第２吹出口１２ｂまでの吹出経路を含めた構造とは同等であるため、以下の説明においては基本的に、第１ボトル２０ａを例に挙げて説明する。尚、以下の説明においては第１ボトル２０ａと第２ボトル２０ｂとをまとめてボトル２０（香料容器）と呼ぶことがある。
【００１３】
このように配置されたボトル２０内に収容されている香料成分を、ボトル２０に隣接するように設けられた揮散機構３０によって吹出口１２から放出させることによって、アロマディフューザー１が設置される揮散空間内に香料成分を揮散させる。なお、吹出口１２は、図２においては、開口が形成されているだけであるが、吹出方向を自在に変更できるノズルを設け、ユーザーが所望の方向に制御可能なように構成しても良い。
【００１４】
図２に示すように、筐体１０の貫通した空間よりも低い位置に、制御基板５０が配置されており、制御基板５０には電源コネクタ５１が設けられている。電源コネクタ５１は筐体１０に設けられた電源投入口１６からACアダプターを接続し、制御基板５０に電源を供給することが可能になる。このように電源投入口１６を筐体１０の貫通した空間よりも低い位置に設けることで、ACアダプターのケーブルが引っ張られて筐体１０が転倒することを防ぐことができる。さらに、電源コネクタ５１を制御基板５０に配置したことにより、電源コネクタ専用基板と束線を廃止することが出来る。
【００１５】
制御基板５０の下部には内蔵電池６０が配置されている。制御基板５０と内蔵電池６０を近傍に配置することで、中継束線を使用することなく安価な内蔵電池を使用することが可能になる。さらに、重さがある内蔵電池６０を筐体１０の下部に配置することで、製品姿勢を安定化することが出来る。なお、図２においては内蔵電池６０が制御基板５０の下部に配置されているが、制御基板５０の上部や、隣り合って配置する構成にしても良い。また、内蔵電池６０はリチウムイオン電池やニッケル水素電池、乾電池など様々であり、特に限定されない。
【００１６】
本件の特徴は、筐体１０の中央に空間（貫通孔１００）を設け、空間に対して左右に一対のボトル２０を配置し、空間の上部に横倒しに配置したコンプレッサ３１によってボトル２０内に収容されている香料成分を揮散させることが出来、空間の下部に制御基板５０と内蔵電池６０を配置することで、製品姿勢を安定化出来ることである。このような配置にすることで無駄なく収容しつつ、アロマディフューザー１を持ち易くすることが出来る。
【００１７】
また、本実施形態においては、内蔵電池６０と制御基板５０とが筐体１０における下方に配置され、その左右にボトル２０が配置されている。ボトル２０から漏れ出た香料成分がそれらに回り込まないように、遮蔽壁が設けられており、内蔵電池６０と制御基板５０とが設けられる空間とボトル２０が配置される空間とが隔離されている。従って、香料成分が筐体１０内に漏れ出た状態で筐体１０を把持して持ち運ぶ際に振動したとしても、内蔵電池６０や制御基板５０が香料成分によって浸漬してしまうのを防止することができる。
【００１８】
図３は本発明のアロマディフューザー１の芳香制御の動作を説明する概念図である。ボトル２０の上部には、その内部に吹出経路を形成するボトルキャップ４０が設けられている。ボトルキャップ４０は、第１ボトル２０ａから第１吹出口１２ａを連通する第１吹出経路４１ａと、第２ボトル２０ｂから第２吹出口１２ｂを連通する第２吹出経路４１ｂとがそれぞれ別体に設けられている。
【００１９】
第１ボトルキャップ４０ａは、第１ボトル２０ａと嵌合する構造を有し、第１ボトル２０ａと第１吹出経路４１ａとを連通する第１ボトルキャップ入口４２ａを有しており、揮散機構３０（第１揮散機構３０ａ）を駆動することによって第１ボトル２０ａから放出された香料成分が、第１ボトルキャップ４０ａ内の第１吹出経路４１ａを通流して第１ボトルキャップ出口４３ａに到達し、筐体１０に設けられた第１吹出口１２ａから揮散空間（外気）に向けて揮散させられる。
【００２０】
同様に、第２ボトルキャップ４０ｂは、第２ボトル２０ｂと嵌合する構造を有し、第２ボトル２０ｂと第２吹出経路４１ｂとを連通する第２ボトルキャップ入口４２ｂを有しており、図３に示す揮散機構３０（第２揮散機構３０ｂ）を駆動することによって第２ボトル２０ｂから放出された香料成分が、第２ボトルキャップ４０ｂ内の第１吹出経路４１ｂを通流して第２ボトルキャップ出口４３ｂに到達し、筐体１０に設けられた第２吹出口１２ｂから揮散空間（外気）に向けて揮散させられる。
【００２１】
ここで、揮散機構３０について詳細に説明する。揮散機構３０は、上述したように、ボトル２０に収容された香料成分を、ボトルキャップ４０内の吹出経路４１に通流させて、吹出口１２から揮散空間に向けて揮散させるものであり、第１吹出経路４１ａに対応する第１揮散機構３０ａと、第２吹出経路４１ｂに対応する第２揮散機構３０ｂとを有する。
【００２２】
揮散機構３０の一例として、本実施形態においては、ダイアフラムポンプを内蔵したコンプレッサ３１と、コンプレッサ３１とボトルキャップ４０とを接続する接続管３３とによって構成されており、第１揮散機構３０ａと第２揮散機構３０ｂとに対応してそれぞれ複数設けられている。
【００２３】
なお、本実施形態においては、ボトルキャップ入口４２よりも、コンプレッサ３１ａから接続管３３ａに空気が吐き出される吐出口３２ａの位置が高くなるように接続管３３ａを複数回つづら折り状に引き回している。換言すれば、コンプレッサ３１ａから第１ボトルキャップ４０ａまでの間に、接続管３３ａを筐体１０の下方に向けて屈曲させて引き回している。この構成のように、接続管３３ａに屈曲部を設けることで、ボトルキャップ４０内で凝縮した香料成分の液体や、ボトルキャップ出口４３ａから不意に流入した液体などが、筐体１０を移動する際などにコンプレッサ３１ａ内部に逆流してしまうことを防ぐことができる。なお、コンプレッサ３１ｂ、接続管３３ｂ、第２ボトルキャップ４０ｂについても同様である。
【００２４】
図３に示すように、コンプレッサ３１によって発生した空気の流れが、ボトルキャップ４０に流入し、その空気の流れがエジェクタとして機能することによって、ボトル２０から香料成分が吹出経路４１に流入する。香料成分は、霧状に吹出経路４１に流入するが、そのうち粒子径の大きいものについては、ボトルキャップ４０の外壁に衝突してそのまま落下することで逆流路４４に流入してボトル２０内に戻る。吹出経路４１内を通流する香料成分は、コンプレッサ３１によって発生した空気と共にボトルキャップ４０内で迂回するように形成された吹出経路４１に沿って下流側に通流し、ボトルキャップ出口４３に到達する。その後、図１に示す吹出口１２から揮散空間に向けて放出される。
【００２５】
以上説明したように、香料成分の揮散量は、コンプレッサ３１によって発生する空気量に比例する。換言すれば、香料成分の揮散量を、コンプレッサ３１の駆動条件（駆動電流、駆動時間）を制御することによって調整可能である。なお、以上説明したアロマディフューザー１は、ボトル２０を２つ取り付け可能に構成したが、３つ以上のボトル２０を取り付け可能に構成することもできる。これにより、特定の効果を発揮するための香料成分の組み合わせの実現が容易となる。
【００２６】
図４は本発明のアロマディフューザー１のトップカバー１１が開いた状態を示す斜視図である。トップカバー１１を開くと筐体１０の中央を貫通した空間を挟んで左右に第１ボトルキャップ４０ａと第２ボトルキャップ４０ｂが配置されており、ユーザーはそれぞれのボトルキャップ４０を上部に引き出すことでボトル２０を上方に取り外すことが出来る。なお、図４ではボトルキャップ４０を上部に外す様になっているが、側部に外す構成にしても良い。
【００２７】
筐体１０にはインナーカバー１７が固定ねじ７０で固定されており、インナーカバー１７には凹部１８が設けられている。ユーザーは凹部１８に指を入れる事で、ボトルキャップ４０を上部に簡易に外すことが出来る。
【００２８】
トップカバー１１には第１押さえ板１３ａと第２押さえ板１３ｂが、それぞれ第１吹出口１２ａと第２吹出口１２ｂの近傍に設けられている。トップカバー１１を閉めた時、第１押さえ板１３ａと第２押さえ板１３ｂは、それぞれ第１ボトルキャップ４０ａと、第２ボトルキャップ４０ｂの天面に突き当てられ、ボトルキャップ４０が浮いた状態で配置されることを防ぐことが出来る。
【００２９】
また、トップカバー１１には第１固定部１４ａと第２固定部１４ｂが設けられ、トップカバー１１を閉めた時、インナーカバー１７に嵌合してトップカバー１１を固定することが出来る。
【００３０】
図５は本発明のアロマディフューザー１のインナーカバー１７を取り外した状態を示した上面図である。ダイアフラムポンプを内蔵した第１コンプレッサ３１ａと第２コンプレッサ３１ｂは隣り合って配置されている。また、接続管３３はシリコーンゴムやＰＶＣ（ポリ塩化ビニル）などの樹脂材料によってチューブ状に形成されており、本実施形態においては、図５に示している通り、第１コンプレッサ吐出部３２ａと第２コンプレッサ吐出部３２ｂは逆方向を向いており、それぞれ接続管３３ａと接続管３３ｂに接続されている。図５において第１コンプレッサ３１ａは筐体１０の中心より右側に配置されている。そうすることで、制御基板５０の第１コンプレッサ束線コネクタ５３ａと接続する第１コンプレッサ束線５２ａの長さを短くすることが出来、第１コンプレッサ３１ａの左側にスペースを確保することが出来る為、接続管３３を配線し易くなる。同様に第２コンプレッサ３１ｂは筐体１０の中心より左側に配置されている。そうすることで、制御基板５０の第２コンプレッサ束線コネクタ５３ｂと接続する第２コンプレッサ束線５２ｂの長さを短くすることが出来、第２コンプレッサ３１ｂの右側にスペースを確保することが出来る為、接続管３３を配線し易くなる。
【００３１】
このように接続管３３ａと接続管３３ｂを逆方向に配置することによって、強度を考慮して剛性の比較的高い材質で接続管３３を形成する場合であっても、引き回すスペースを確保することができる。より具体的には、第１コンプレッサ３１ａと第１吹出経路４１ａおよび第１ボトル２０ａの組と、第２コンプレッサ３１ｂと第１２吹出経路４１ｂおよび第２ボトル２０ｂの組とを、筐体１０における左右方向（幅方向）及び前後方向の中心に対して点対称に配置している。このように構成することで、コンプレッサ３１から制御基板５０までの配線などの収容スペースを好適に確保することができ、また、吹出経路４１などを筐体１０に対し左右対称に設けることが可能となり、２つのボトル２０に対して揮散性能を均一にすることも可能となる。
【００３２】
図６は本発明のアロマディフューザー１の制御基板５０の状態を示す断面図である。図６（ａ）に示す正面図におけるＢ−Ｂ断面を図６（ｂ）の断面図に示している。制御基板５０には第１コンプレッサ束線コネクタ５３ａが配置されており、接続ケーブルとしての第１コンプレッサ束線５２ａにて第１コンプレッサ３１ａと接続される。第１コンプレッサ束線コネクタ５３ａは第１コンプレッサ束線５２ａが最短となる様な位置に配置される。同様に、制御基板５０には第２コンプレッサ束線コネクタ５３ｂが配置されており、接続ケーブルとしての第２コンプレッサ束線５２ｂにて第２コンプレッサ３１ｂと接続される。第２コンプレッサ束線コネクタ５３ｂは第２コンプレッサ束線５２ｂが最短となる様な位置に配置される。
【００３３】
本実施形態においては、第１コンプレッサ束線５２ａは、図６に点線で示す空間Ｓを引き回している。空間Ｓは、第１ボトル２０ａと、筐体１０に設けられた貫通孔１００との間に対応する空間である。特に、本実施形態のように、円筒形状のボトル２０を用いた場合に、円形であるボトル２０の外周部とその周囲の間隙とを利用してコンプレッサ束線５２を引き回すことが可能となる。
【００３４】
図７は本発明のアロマディフューザー１の制御構成を示すブロック図である。図７に示すように、ＣＰＵ（Ｃｅｎｔｒａｌ  Ｐｒｏｃｅｓｓｉｎｇ  Ｕｎｉｔ）８０、コンプレッサ３１、記憶部８１、通信ＩＦ（ＩｎｔｅｒＦａｃｅ）８２、操作部８３、表示部８４、電源部８５などを備えている。
【００３５】
ＣＰＵ８０は、アロマディフューザー１の各部全体を統括して制御を行う制御部である。なお、図７においては各構成がＣＰＵ８０とのみ接続されているが、バスを通じてそれぞれが接続されて直接信号のやり取りを行うように構成しても良い。
【００３６】
記憶部８１は、ＲＯＭやＲＡＭなどの記憶デバイスによって構成されており、ＣＰＵ８０が各部を制御するために必要な各種プログラムや制御処理に必要なデータ等が記憶されている。例えば、コンプレッサ３１の駆動制御のために必要なデータ以外にも、後述する通信ＩＦ８２や表示部８４を制御するために必要なデータ等も記憶されており、ＣＰＵ８０はこれらのデータを利用して通信ＩＦ８２や表示部８４を制御する。
【００３７】
通信ＩＦ８２は、外部機器との間で通信を行うためのインターフェースであり、各無線通信規格に対応した無線モジュールや、有線接続するためのＬＡＮコネクタやＵＳＢコネクタなどである。
【００３８】
表示部８４は、アロマディフューザー１の動作状態などをユーザーに通知すべく、筐体１０に設けられたＬＣＤなどのディスプレイやＬＥＤなどのインジケータである。アロマディフューザー１の動作モード（コンプレッサ３１の動作状態）に応じた表示態様になるようにＣＰＵ８０が表示部８４を制御することによってユーザーがアロマディフューザー１の動作モードを把握しやすくなる。また、動作モード以外にも、電源のオン、オフ状態や、通信ＩＦ８２での通信状態を表示しても良い。
【００３９】
操作部８３は、ユーザーがＣＰＵ８０に対してアロマディフューザー１の動作モードの制御指示などを入力するためのインターフェースであり、一例としては、筐体１０の外表面に配置されたタクトスイッチなどである。また、ＬＣＤなどのディスプレイや機能を示したデザインなどの上に貼り付けたタッチパネルによって構成しても良い。
【００４０】
電源部８５は、電池やＡＣアダプタによって構成される電源に接続される電源回路であり、各部に対して必要な電力を生成して供給するものである。そのため、図７においては、電源部８５はＣＰＵ８０にのみ接続されているが、実際には各部に対して接続されており、各部の駆動に必要な電力を供給している。ＣＰＵ８０によってそれらの電力供給の制御を行うように構成しても良い。また、電池としては本体に内蔵される内蔵電池などでも良いし、ＵＳＢケーブルなどによって接続されるモバイルバッテリのような外部電池でも良い。なお、電池を内蔵するように構成する場合には、その充電のための機構は特に限定されない。たとえばＵＳＢケーブルなどによって供給された電流によって充電されるようにしても良いし、無線給電などによって充電可能な充電回路を有しても良い。
【００４１】
本実施形態においては、通信ＩＦ８２としての無線モジュールを、制御基板５０に配置している。本実施形態においては、上述したように、制御基板５０の上部に貫通孔が設けてあり、制御基板５０上に実装された無線モジュールと貫通孔との間には、樹脂製の筐体１０と樹脂製の導光部材１９が設けられたのみであり、外部空間との間で、無線モジュールによる通信を妨げる金属製の遮蔽物などがなく、好適に無線通信を行うことができる。
【００４２】
また、コンプレッサ３１で発生した熱は、基本的に、自然対流によって上昇するか貫通孔によって筐体１０の下方とは空気断熱されるため、制御基板５０や内蔵電池６０側に伝達することがない。
【００４３】
また、本発明は、図１等に示す通り、筐体１０の中央に、筐体を持ち運ぶ際にユーザーの手を挿入可能な貫通孔１００を設けたことによって可搬性を向上できることに加えて、貫通孔１００の径の大きさや深さ（筐体１０の厚み）によっては、筐体１０を形成するのに必要な材料を低減することができると同時に、筐体１０の前面や背面における強度を向上することができる。
【００４４】
また、その貫通孔１００の左右に香料成分が収容された香料容器（ボトル２０）をそれぞれ収容する収容部（収容空間）を設け、貫通孔１００の上方にコンプレッサ３１を含む揮散機構３０を設け、貫通孔１００の下方に揮散機構３０などの動作を制御する制御部（ＣＰＵ８０）が実装された制御基板５０と、その制御基板５０に電力を供給する内蔵電池６０を設けている。これによって貫通孔１００を設けつつ各構成部品を筐体１０内にバランスよく収納することができ、製品の小型化を図ることができる。なお、上記実施形態においては、内蔵電池６０を制御基板５０の下方に配置することで、制御基板５０が貫通孔１００側に位置し、内蔵電池６０が筐体１０の最下部に配置されるようにし、ている。
【００４５】
また、貫通孔１００に対して、オプション部品を取り付け可能な取り付け構造を設けても良い。例えば、スピーカーユニットなどを搭載可能とすることによって、アロマディフューザー１としての芳香機能に加えて音を放出することで、アロマディフューザー１の効果を高めることができる。また、送風ファンを取り付けることで、香料成分の揮散性能を向上するようにしても良い。なお、取り付け構造は、これらのオプション部品への給電構造を有することが好ましい。これらの場合、貫通孔１００内部にオプション部品を取り付け可能にすることによって、筐体１０の設置スペースを広げることなく取り付けることができる。
【００４６】
以上説明した構成にすることによって、必要な部品の収納性を向上しつつ、本体の可搬性を向上することが出来る。また、持ち運んだ後に本体を載置する際に、製品姿勢を安定化することが出来る。
【００４７】
本発明は、以上説明した形態に限られず、本発明の技術思想を逸脱しない範囲において種々の変更を適用することができる。
【符号の説明】
【００４８】
１  アロマディフューザー
１０  筐体
２０ａ  第１ボトル
２０ｂ  第２ボトル
３０  揮散機構
３１ａ  第１コンプレッサ
３１ｂ  第２コンプレッサ
３２ａ  第１コンプレッサ吐出部
３２ｂ  第２コンプレッサ吐出部
３３  接続管
４０ａ  第１ボトルキャップ
４０ｂ  第２ボトルキャップ
５０  制御基板
５２ａ  第１コンプレッサ束線
５２ｂ  第２コンプレッサ束線
６０  内蔵電池
【図１】
2020137843.tif 000003
【図２】
2020137843.tif 000004
【図３】
2020137843.tif 000005
【図４】
2020137843.tif 000006
【図５】
2020137843.tif 000007
【図６】
2020137843.tif 000008
【図７】
2020137843.tif 000009